(57)【特許請求の範囲】
【請求項１】
多数の客を楽しませるための装置であって、
選択的に炎を発生させる機器を備え、
各客と炎の間に挿入されるバリアであって、炎を発生させるための機器の使用の多数の繰り返しを通して透明のままであるように構成されるバリアを備え、
前記バリアが、ガラス又はプラスチックの少なくとも１つから成るシートを含み、
前記バリアが、前記シートの表面上に配置されたコーティングを含み、前記コーティングが液体樹脂を含み、
前記シートが、前記シートの表面に搭載される電極をさらに備え、前記電極が前記表面に電荷を電導するように構成される、
装置。
【請求項２】
前記シートを清掃するように構成される、１つ若しくはそれ以上のスキージ、流体カーテン又は液体流れを含む清掃システムを備える、請求項１記載の装置。
【請求項３】
前記電荷が、煤の自然電荷とほぼ同じである、請求項１記載の装置。
【請求項４】
バリアに近接して噴射される炎を発生させるための機器からの炎の多数の噴射の後で、透明なままであるように構成されるバリアであって、
ガラス、プラスチック又はそれらの組み合わせを含む透明なシートを備え、
前記透明なシートの表面上に配置された液体樹脂のコーティングを備え、前記液体樹脂が懸濁導電性材料から成り、
前記透明なシートの表面と通信可能に結合された電極を備え、前記電極が、前記表面に電荷を電導して、前記透明なシート上への炎の多数の噴射によって煤が前記透明なシート上に堆積するのを防止するように構成される、
バリア。
【請求項５】
スキージ、流体カーテンおよび液体流れのうちの少なくとも１つを含む清掃システムを備える、請求項４記載のバリア。
【請求項６】
少なくとも１人の客をある場所に導くステップと、
前記少なくとも１人の客を特定の方向に向けるステップと、
前記場所に向かって、前記少なくとも１人の客が向けられる特定の方向に全体的に対向する方向に延びる炎を発生させるステップと、
前記少なくとも１人の客を楽しませる間に前記少なくとも１人の客が負傷するのを防止するために、前記少なくとも１人の客と前記炎の間にバリアを挿入するステップと、
前記バリアの表面に液体樹脂でコーティングし、前記バリアの表面に搭載された電極を介して前記バリアの表面に電荷を加えることによって前記バリアを透明なままであるように構成するステップと、
を含む、少なくとも１人の客を楽しませる方法。
【請求項７】
前記少なくとも１人の客を導きかつ一定の方向に向けさせかつ炎を発生させるステップが、選択的に繰り返し可能であり、
前記バリアが、ガラスおよびプラスチックのうちの少なくとも１つを備える、
請求項６記載の方法。
【請求項８】
スキージ、流体カーテンおよび液体流れのうちの少なくとも１つを使用して前記バリア上への煤の堆積を防止するステップを含む、請求項６記載の方法。
【発明の詳細な説明】
【技術分野】
【０００１】
本明細書に記載される主題は、一般に熱エネルギおよび燃焼生成物に対するバリア、およびそのようなバリアを客を楽しませるために利用する装置および方法に関する。
【背景技術】
【０００２】
今日の世慣れた客に高度な娯楽価値を提供するために、テーマパークおよび遊園地などのテーマ娯楽会場は、客を感動させることが期待される様々な娯楽を含んでいる。一例としてこの娯楽は、ジェットコースターの高速ひねり、回転、上昇および下降中に生じる身体への重力の効果などの乗車それ自体に伴う作用を含む。別の例ではこの娯楽は、知覚される事象中に作り出される驚きおよび不安を含む。例えば、Ｕｎｉｖｅｒｓａｌ  Ｓｔｕｄｉｏｓ  ＦｌｏｒｉｄａでのＭｕｍｍｙアトラクションは、特別な効果の中でも特に、アトラクションを通る乗車中に客が通過するいくつかの火炎効果を提供する。客は、放射熱および光の閃光の効果を与えるために点火される炎小道具から２０から３０フィートのところに置かれる。この距離のところでは、この効果によって作り出される驚きおよび不安の感覚は限定される。最近、客が効果装置に近接して腕の長さ内に導かれるとき、はためいている布地、照明効果、模造の火炎、煙および噴射（ｂｌａｓｔ）などの模擬の炎が実の炎の代わりに通常使用される。さらに、炎の炸裂がたどる経路は、近接する距離のところでは決して客に向かって向けられず、したがって客の真の危険感覚は限定される。
【先行技術文献】
【特許文献】
【０００３】
【特許文献１】米国特許第４６８３８６８号公報
【特許文献２】ドイツ国特許出願公開第４４３７３１２号公報
【特許文献３】英国特許出願公開第２２８９４９６号公報
【特許文献４】米国特許第４４８５６０１号公報
【特許文献５】米国特許第５７５６９２０号公報
【特許文献６】ＢＥ１００１３１３Ａ３公報
【特許文献７】カナダ国特許第１２９０２０４号公報
【特許文献８】ドイツ国特許出願公開第３７１１８４９号公報
【特許文献９】フランス国特許出願公開第２５９７１９６号公報
【特許文献１０】英国特許出願公開第２１８９０２６号公報
【特許文献１１】特開昭６２−２９４８１６号公報
【特許文献１２】ＮＯ８７１４４９Ａ公報
【特許文献１３】ＮＺ２１９７６２Ａ公報
【特許文献１４】ドイツ国特許出願公開第４４１７４９６号公報
【特許文献１５】フランス国特許出願公開第２７２００６２号公報
【特許文献１６】ＳＥ５０５５３６Ｃ２公報
【特許文献１７】ＡＴ３８５２３９Ｂ公報
【特許文献１８】ＡＴ１４４１８２Ａ公報
【特許文献１９】ＡＵ５５５２３５Ｂ２公報
【特許文献２０】ＡＵ８２８８０８２Ａ公報
【特許文献２１】ＢＥ８９２８３５Ａ１公報
【特許文献２２】ＣＨ６５１５３７Ａ５公報
【特許文献２３】ドイツ国特許出願公開第３２１４８５２号公報
【特許文献２４】フランス国特許出願公開第２５０４１１７号公報
【特許文献２５】イタリア国特許第１１９１１８５号公報
【特許文献２６】特許１８９１２５１号公報
【特許文献２７】特公平６−１３４２０号公報
【特許文献２８】特開昭５７−１８３３３８号公報
【特許文献２９】ＮＬ８２０１６１５Ａ公報
【特許文献３０】ＮＯ８２１２７９Ａ公報
【特許文献３１】ＳＥ４５７２５４Ｂ公報
【特許文献３２】ＳＥ８２０２４６３Ａ公報
【特許文献３３】米国特許第４，００９，９５４号公報
【特許文献３４】米国特許第６，６０２，９３８号公報
【非特許文献】
【０００４】
【非特許文献１】Ｔｈｅ  Ｄｉｃｔｉｏｎａｒｙ  ｏｆ  Ｓｃｉｅｎｔｉｆｉｃ  ａｎｄ  Ｔｅｃｈｎｉｃａｌ  Ｔｅｒｍｓ，Ｆｉｆｔｈ  Ｅｄｉｔｉｏｎ，ＭｃＧｒａｗ−Ｈｉｌｌ，Ｉｎｃ．，１９９４，Ｐａｇｅ  ７６６，Ｄｅｆｉｎｉｔｉｏｎ  ｏｆ“ｆｌａｍｅ”
【非特許文献２】Ｐｒｏｄｕｃｔ  Ｓｈｅｅｔ：  Ｕｎｉｖｅｒｓａｌ  Ｆｉｒｅ−Ｓｈｉｅｌｄ  Ｆｉｒｅ  Ｋｏｔｅ  １００，Ｆｉｒｅ  Ｐｏｌｙ  ＆  ＺＢ；Ｃｏｐｙｒｉｇｈｔ  １９９０  Ｕｎｉｖｅｒｓａｌ  Ｆｉｒｅ  Ｓｈｉｅｌｄ；Ｒｅｖ．０６／２２／０６
【非特許文献３】Ｈｙ−Ｔｅｃｈ  Ｆｌａｍｅ  Ｒｅｓｉｓｔ  Ｆｌａｍｅ  Ｒｅｔａｒｄａｎｔ  Ｃｏａｔｉｎｇ；Ｈｙ−Ｔｅｃｈ  Ｔｈｅｒｍａｌ  Ｓｏｌｕｔｉｏｎ，ＬＬＣ；ｗｗｗ．ｈｙｔｅｃｈｓａｌｅｓ．ｃｏｍ；Ｒｅｖ．０３／１５／０３
【発明の概要】
【発明が解決しようとする課題】
【０００５】
したがって、世慣れた得意先または客によって要求される高い娯楽価値を提供するために炎小道具に伴う驚きおよび不安の効果を増加させることが望まれている。
【課題を解決するための手段】
【０００６】
本発明の一実施形態によれば、多数の客を楽しませるための装置は、選択的に炎を発生させる機器と、各客と炎の間に挿入されるバリアとを備える。このバリアは、炎を発生させるための機器の使用の多数の繰り返しを通して透明のままであるように構成される。
【０００７】
本発明の別の態様によればバリアは、炎を発生させる機器からの多数の炎の噴射の後で透明のままであるように構成され、この炎はバリアに近接して噴射される。このバリアはガラスおよびプラスチックのうちの少なくとも１つを備える透明なシートと、炎の多数の噴射によって作り出される煤を透明なシートから取り除くための手段とを備える。
【０００８】
本発明の別の態様によれば、少なくとも１人の客を楽しませる方法は、少なくとも１人の客をある場所に導くステップと、この少なくとも１人の客を特定の方向に向けるステップと、その場所に向かって延びる炎を発生させるステップと、少なくとも１人の客を楽しませる間にこの少なくとも１人の客が負傷するのを防止するために、この少なくとも１人の客とこの炎の間にバリアを挿入するステップとを含む。
【０００９】
以下の詳細な説明は、添付の図面を参照して行う。
【図面の簡単な説明】
【００１０】
【図１】本発明の一実施形態によるバリアおよびバリアの片側に配置される炎を発生させるための機器、およびバリアの別の側に配置される楽しませるべき客を、側面図で示す線図である。
【図２】図１の実施形態の斜視図を示す別の線図である。
【図３】本発明の別の実施形態による、バリアの片側に配置される舞台装置要素と炎を発生させるための機器の間に配置されるバリアとバリアの別の側に配置される乗車車両用の経路とを示す線図である。
【図４】線１−１に沿った、図１のバリアの断面図である。
【図５】基板およびコーティングを示す、図１のバリアの部分断面図である。
【図６】本発明による流体噴射システムの別の実施形態を示す線図である。
【図７】本発明による液体流れシステムの一実施形態を示す線図である。
【発明を実施するための形態】
【００１１】
本発明の一実施形態はバリアおよび炎を発生させるための機器に関し、他の１つは、世慣れした客に驚きおよび不安の増大する効果を提供するこのバリアおよび炎を発生させるための機器を使用して客を楽しませる方法を含む。具体的な実施形態では、このバリアは、炎の繰り返し噴射に耐え、かつ各噴射中透明のままであるように構成される材料を備えることができる。
【００１２】
本開示を通して用語「炎」は、模擬の炎または正真正銘の炎を含む最も広い妥当な解釈が与えられるべきことが意図されており、この正真正銘の炎は、例えば、Ｔｈｅ  Ｄｉｃｔｉｏｎａｒｙ  ｏｆ  Ｓｃｉｅｎｔｉｆｉｃ  ａｎｄ  Ｔｅｃｈｎｉｃａｌ  Ｔｅｒｍｓ，Ｆｉｆｔｈ  Ｅｄｉｔｉｏｎ，ＭｃＧｒａｗ−Ｈｉｌｌ，Ｉｎｃ．，  １９９４，Ｐａｇｅ  ７６６にある、中に反応剤が流入しそこから生成物が流れ出るガス状媒体内の高温発光反応前線（または波）の定義に該当する。
【００１３】
次に図１を参照すると、本発明の一実施形態による客８を楽しませるための装置を１０に全体的に示す。この実施形態では、この装置１０は、炎１２を発生させるための機器とバリア１４とを備える。
【００１４】
図示の実施形態では、炎１２を発生させるための機器は、本体１６およびノズル１８を備える。本体１６内の内部作動部は知られており、したがって、各々が燃焼または他の手段を介してノズル１８によって導くことができる炎２０を発生させるように機能するように組み合わされることを言う以外は、本明細書では説明しない。そのようなものとして示されていないが、ノズル１８は炎を任意の特定の方向に向けるように調整可能であることができることは本発明で企図されている。同様に、このノズルは炎の体積を変更するようにおよび／または長方形の横断面形態もしくは平らな炎形状などの炎の異なる幾何学的形状をもたらすように調整可能であることができる。
【００１５】
本発明の一態様で、約０．２６ｍ３より大きな炎２０の体積は、客８に驚きと不安の効果を増加させるのに十分大きいことが見出されてきた。図示の実施形態では、炎２０の体積（Ｖ）の粗い近似値を、高さ寸法ｈ、および半径ｒ１およびｒ２を使用して以下のように与えられる、円錐台断面に対する適切な体積公式を使用して求めることができる。
【００１６】
ｉ．  Ｖ＝π（ｒ２２＋ｒ１ｒ２＋ｒ１２）ｈ／３
この体積は、単にそれが流れておりしたがって本来的にいくらか不定形の体積であり得る炎である理由で、粗く推定されることは理解されるであろう。例えば、炎は移動する渦状の輪の形態であることができる。したがって、炎の重要な特徴は、例えば客の視点からの角度および／または環境からの遠近法的手掛り、および知覚される近接度を含む、知覚されるサイズであることは理解されるであろう。
【００１７】
次に図２を参照すると、バリア１４の一実施形態は、枠２２および材料２４の層またはシートを備える。本発明の他の実施形態では、バリア１４は水、例えば滝（図示せず）または空気、例えば高速の空気の流れ（やはり図示せず）およびそれらの組み合わせなどの流体を含むことができることは理解されるであろう。
【００１８】
枠２２は、鋼などの適切に強度のあるかつ耐炎材料を備えることができ、材料２４の適切な量の拡がりを可能にしながらバリア１４を支持しかつ強固にするように機能することができる。
【００１９】
材料２４は、透明でありかつ炎噴射２０の熱パルスおよび炎２０の繰り返し噴射から結果として生じる可能性のあるバリア１４の準定常状態温度に耐えることができる任意の適切な材料を備えることができる。炎２０が燃焼によって発生する場合は、適切な材料にはガラスセラミック、ホウケイ酸ガラス、および高溶融温度を有するプラスチックが含まれる。適切なガラスセラミックには、ＴＧＰ  ｃｏｍｐａｎｙ（ｗｗｗ．ｆｉｒｅｇｌａｓｓ．ｃｏｍ）によって商標「ＦＩＲＥＬＩＧＨＴ」、Ｓｃｈｏｔｔ  ｃｏｍｐａｎｙ（ｗｗｗ．ｕｓ．ｓｃｈｏｔｔ．ｃｏｍ）によって商標「ＰＹＲＡＮ」、およびＳａｆｔｉ  ｃｏｍｐａｎｙ（ｗｗｗ．ｓａｆｔｉ．ｃｏｍ）によって商標「ＳＵＰＥＲＬＩＴＥ」の下で売られているものが含まれる。適切なホウケイ酸ガラスには、Ｓｃｈｏｔｔ  ｃｏｍｐａｎｙによって商標「ＢＯＲＯＦＬＯＡＴ」の下で売られているものが含まれる。適切な高温プラスチックには、Ｇｅｎｅｒａｌ  Ｅｌｅｃｔｒｉｃ  Ｃｏｍｐａｎｙ（ｗｗｗ．ＧＥ．ｃｏｍ）によって商標「ＧＥＰＡＸ」、「ＬＥＸＡＮ」および「ＶＥＲＯＬＩＴＥ」の下で売られているもの、Ｂａｙｅｒ  ｃｏｍｐａｎｙ（ｗｗｗ．ｂａｙｅｒ．ｃｏｍ）によって商標「ＭＡＫＲＯＬＯＮ」の下で売られているものなどの高温ポリカーボネートが含まれることができる。この高温プラスチックはそれぞれ、シリコン化合物などの難燃性添加物を有する混合物も含むことができる。いくつかの用途では、バリア１４の材料が高温度材料である必要がないことが好まれるであろうことは理解されるであろう。これは、炎の噴射の大きさ、頻度、および知られたまたは確認された熱伝達特性によって決まることは理解されるであろう。
【００２０】
図５に図示するように、この材料２４は炎バリアの耐火炎特性を増加させるように、熱バリアを与えるように機能するコーティング２５を備えることができる。コーティングの例には、Ｕｎｉｖｅｒｓａｌ  Ｆｉｒｅ  Ｓｈｉｅｌｄ  ｃｏｍｐａｎｙによって商標「Ｆｉｒｅ  Ｋｏｔｅ  １００」、およびＨｙ−Ｔｅｃｈ  Ｃｏｍｐａｎｙによって商標「Ｈｙ−Ｔｅｃｈ  Ｆｌａｍｅ  Ｒｅｓｉｓｔ」の下で売られているものがある。これらのコーティングは、水性ベースの樹脂液体コーティングを備えることができる。さらにこのコーティングは、銅（Ｃｕ）、アルミニウム（Ａｌ）、銀（Ａｇ）または金（Ａｕ）などの懸濁導電性材料の添加を介して、以下で説明するように静電荷を担持するように構成することもできる。
【００２１】
材料２４上への煤などの微粒子物体の堆積を防止するために、本発明による様々な具体的な実施形態を利用することができる。例えば、材料２４上のコーティングに静電荷を供給するために１対の電極２６を枠２２に搭載することができる。煤の堆積を防止する、または換言すれば材料２４上の堆積から煤を撃退するために、この電荷は煤の自然電荷と一般的に同じであることができる、またはこの枠は特定の電荷を有する構成部品材料を含むことができる、または煤に燃焼または輸送工程中に電荷を与えることができることは理解されるであろう。他の具体的な実施形態には、スキージが移動するまたはバリアが移動するかのいずれかで煤が拭き取られる機械的なスキージ２８、スキージと適宜一緒のかつバリアの機械的振動を介しての（共にヘッド３０からの）空気噴射または水スプレーの使用などによる、噴射間でのまたは一日を通して多数の回数のバリア１４の清掃が含まれる。
【００２２】
バリア上の煤を取り除くまたはバリア上への煤の堆積を防止するための流体噴射システムの一実施形態を図６に示す。図示のように、矢印３４によって示されるバリア１４の長手方向軸に平行な方向に流れる、加圧空気などの流体出力を供給するためにブロア３２が配置される。そのような配置は、矢印３６によって示される炎の流れ模様を有利に変更することができ、それによって煤の堆積を減少させおよび／または取り除きを容易にする。
【００２３】
次に図７を参照すると、バリア上の煤を取り除く、またはバリア上への煤の堆積を防止するための本発明による液体流れ装置の一実施形態が、全体的に３８に示されている。この液体流れ装置３８は、水などの液体のある体積を支持する容器４０を備えることができ、かつ出口吐水口４２を含む。この出口吐水口４２は、バリア１４の炎が向けられる側に配置し、重力を介して矢印４４の方向に液体の全体的に層流の流れを供給するように構成することができる。収集機４６がこの液体を収集することができ、ポンプ４８が液体をフィルタ５０を介して容器４０に戻すように循環させるために設けられる。
【００２４】
再度図１を参照すると、かつ具体的な一実施形態では、このバリア１４は人間の可視範囲（０．４〜０．７μの波長）内で透明であり、赤外線放射（約１〜１２μ）を含む他の放射波長を遮ることができる。これは例えば、低い放射率を備えかつスペクトル的に選択される材料でバリア１４をコーティングすること、あるいは選択される材料の内部特性（ｂｕｌｋ  ｐｒｏｐｅｒｔｉｅｓ）によって達成される。前述のことによって、遊離炭素からの赤外線放射が可視的に透明な表面によって大部分が反射されるので、客にずっとより近接するずっとより大きな炎効果が可能になることは理解されるであろう。
【００２５】
別の具体的な実施形態では、このバリア１４は、例えば客に強烈な熱の部分的な感覚を伝えるために不完全な赤外線遮断をもたらす知られたコーティングの使用を介して、赤外線内で部分的に透明にすることができる。そのようなコーティングは、ワシントン州タコマのＭｉｌｇａｒｄ  Ｗｉｎｄｏｗｓ，Ｉｎｃによって商標「ＳＵＮＣＯＡＴ」の下で売られている。
【００２６】
加熱されたバリア１４それ自体からの放射は客に投射され、客を驚かせる可能性を増加させるように、これを打ち消すためにバリアは噴射の間に冷却することができることが理解できるであろう。
【００２７】
再度やはり図１を参照すると、具体的な一実施形態では、かつ客８を最高に驚かせかつ適切な量の不安を作り出すために、客とバリア１４の間の距離ｄはほぼ３フィートに制限できることが見出された。動作では、かつ客８が位置Ｌに到着した際、炎発生機器１２が起動され、客を驚かせかつ楽しませるために炎２０が作り出される。
【００２８】
本発明の別の実施形態を図３で１００に全体的に示す。図３では、上記で説明したものと同様な構成部品はこの後繰り返されず、各々が１００で開始することを除き図２のものに対するのと同様に標識が付けられる。この実施形態では、炎１２０によって楽しまされる単一の客８（図２）ではなく、多数の客１０８が軌道１３４をたどる車両１３２で運ばれる乗車システム１３２が図示されている。やはりこの実施形態でも、舞台装置１３６および１３８が両方共客１０８を驚かせる可能性を増加させるために設けられる。
【００２９】
本発明の別の実施形態を、少なくとも１人の客を楽しませるための方法が全体的に２００に示されている、図４に示す。この実施形態では、かつ２０２に示すように、この方法は、少なくとも１人の客をある場所に導くステップと、２０４に示すようにこの少なくとも１人の客を特定の方向に向けるステップと、２０６に示すようにその場所に向かってかつ少なくとも１人の客が向けられている特定の方向に対向する方向に延びる炎を発生させるステップと、２０８に示すように、少なくとも１人の客を楽しませている間に少なくとも１人の客が負傷するのを防止するために、この少なくとも１人の客と炎の間にバリアを挿入するステップとを含む。少なくとも１人の客を導きかつ一定の方向に向けるステップと炎を発生させるステップは、選択的に繰り返し可能であり、この方法はさらに、少なくとも１つの炎を発生させるステップ中少なくとも、かつそれらの各繰り返しを通して透明なままであるようにバリアを構成することをさらに含むことができることは理解されるであろう。
【００３０】
本発明を現在最も実際的でありかつ好ましい実施形態と考えられるものと関連して説明してきたが、本発明はこれらの本明細書で開示された実施形態に限定されないことを理解されたい。そうではなく、本発明は、添付の特許請求の範囲の趣旨および範囲内に含まれる様々な改変および均等な構成の全てを包含することを意図している。
【符号の説明】
【００３１】
８  客
１０  装置
１２  炎発生機器
１４  バリア
１６  本体
１８  ノズル
２０  炎
２２  枠
２４  シート
２５  コーティング
２６  電極
２８  スキージ
３０  ヘッド
３２  ブロア
３４  矢印
３６  矢印
３８  液体流れ装置
４０  容器
４２  出口吐水口
４４  矢印
４６  収集機
４８  ポンプ
５０  フィルタ
１００  本発明の別の実施形態
１０８  多数の客
１２０  炎
１３２  乗車システム
１３４  軌道
１３６  舞台装置
１３８  舞台装置
２００  本発明の別の実施形態
【図１】
0005551444.tif 000002
【図２】
0005551444.tif 000003
【図３】
0005551444.tif 000004
【図４】
0005551444.tif 000005
【図５】
0005551444.tif 000006
【図６】
0005551444.tif 000007
【図７】
0005551444.tif 000008